(57)【要約】【課題】安価な構成でオイルの適正油面を維持することが出来る空気調和装置を提供する。【解決手段】適正油面高さに第１のオーバーフロー管２７を有するインバータ圧縮機１と、適正油面高さに第２のオーバーフロー管２８を有する一定速圧縮機２を備えた室外機２１と、複数の室内機２６とで形成され、第１のオーバーフロー管２７から第１の電磁弁１４及び第１のキャピラリーチューブ１５を介し、一定速圧縮機２の吸入管３０に接続するインバータ圧縮機側オーバーフロー回路１６と、第２のオーバーフロー管２８から第２の電磁弁１７及び第２のキャピラリーチューブ１８を介しインバータ圧縮機１の吸入管２９に接続する一定速圧縮機側オーバーフロー回路１９を有し、累積運転時間により定期的に第１、第２の電磁弁１４、１７を開閉するもので、安価な構成で、適正油面を下回った場合にでも、他系統の圧縮機からオイルを供給して適正油面を維持することができる。【選択図】図１
2009144957.tif 000002
【特許請求の範囲】
【請求項１】
適正油面高さに第１のオーバーフロー管を有するインバータ圧縮機と、適正油面高さに第２のオーバーフロー管を有する一定速圧縮機と、冷房運転と暖房運転を切換える四方弁と、室外側熱交換器と、室外送風機と、電動式膨張弁と、気液分離器と、室外機制御装置とを備えた室外機と、室内側熱交換器と、室内送風機と、電動式膨張弁と、室内機制御装置とを備えた複数の室内機とで形成される空気調和装置において、前記第１のオーバーフロー管から第１の電磁弁及び第１のキャピラリーチューブを介し、前記一定速圧縮機の吸入管に接続するインバータ圧縮機側オーバーフロー回路と、前記第２のオーバーフロー管から第２の電磁弁及び第２のキャピラリーチューブを介し前記インバータ圧縮機の吸入管に接続する一定速圧縮機側オーバーフロー回路を有し、累積運転時間により定期的に前記第１、第２の電磁弁を開閉することを特徴とする空気調和装置。
【発明の詳細な説明】
【技術分野】
【０００１】
本発明は、複数の密閉型の圧縮機を搭載した空気調和装置に関わり、特に圧縮機の油面制御に関するものである。
【背景技術】
【０００２】
従来、この種の空気調和装置では、複数台の圧縮機に充填されたオイルが冷媒とともに吐出され、冷凍サイクル内を循環するうちに、各圧縮機の油面に偏りが生じ、油量の減少した圧縮機の摺動部に潤滑不良が生じて信頼性を損なうといった不具合を回避するため、圧縮機内の油面を均等、もしくは最低限の油面を確保できるように、種々の均油回路が提案されてきた。
【０００３】
例えば、図２の従来の空気調和装置の冷凍サイクル図に示すように、圧縮機４０ａ、４０ｂのそれぞれの容器側面にオーバーフロー管３１、６１を取り付け、圧縮機４０ａ、４０ｂ内のオイルが所定量以上になれば、オイルは、オーバーフロー管３１、６１より圧縮機４０ａ、４０ｂの外部へ取り出され、減圧手段３３、６３を介してオイルの不足した圧縮機（４０ａ又は４０ｂ）へ戻すようにした構成のものが一般的である（例えば、特許文献１参照）。
【特許文献１】特開２００２−２４２８３３号公報
【発明の開示】
【発明が解決しようとする課題】
【０００４】
しかしながら、前記従来の空気調和装置の構成では、２系統のオーバーフロー回路中にそれぞれ複数の電磁弁３２、６２及び複数の温度センサー３４、３５、６４、６５を使用しており、高コストとなるといった課題があった。
【０００５】
本発明は、上記従来の課題を解決するもので、多くの電磁弁及び温度センサーを使用する事なく安価なオーバーフロー回路を構成し、適正油面を下回った場合にでも他系統の圧縮機からオイルを供給することで適正油面を維持し、圧縮機の信頼性を向上できる空気調和装置を提供することを目的とする。
【課題を解決するための手段】
【０００６】
上記従来の課題を解決するために、本発明の空気調和装置は、適正油面高さに第１のオーバーフロー管を有するインバータ圧縮機と、適正油面高さに第２のオーバーフロー管を有する一定速圧縮機と、冷房運転と暖房運転を切換える四方弁と、室外側熱交換器と、室外送風機と、電動式膨張弁と、気液分離器と、室外機制御装置とを備えた室外機と、室内側熱交換器と、室内送風機と、電動式膨張弁と、室内機制御装置とを備えた複数の室内機とで形成される空気調和装置において、前記第１のオーバーフロー管から第１の電磁弁及び第１のキャピラリーチューブを介し、前記一定速圧縮機の吸入管に接続するインバータ圧縮機側オーバーフロー回路と、前記第２のオーバーフロー管から第２の電磁弁及び第２のキャピラリーチューブを介し前記インバータ圧縮機の吸入管に接続する一定速圧縮機側オーバーフロー回路を有し、累積運転時間により定期的に前記第１、第２の電磁弁を開閉するもので、多くの電磁弁及び温度センサーを使用する事なく安価なオーバーフロー回路を構成し、適正油面を下回った場合にでも、他系統の圧縮機からオイルを供給することで適正油面を維持し、圧縮機の信頼性を向上させることができる。
【発明の効果】
【０００７】
本発明の空気調和装置は、多くの電磁弁及び温度センサーを使用する事なく安価なオー
バーフロー回路を構成し、適正油面を下回った場合にでも他系統の圧縮機からオイルを供給することで適正油面を維持し、圧縮機の信頼性を向上させることができる。
【発明を実施するための最良の形態】
【０００８】
第１の発明は、適正油面高さに第１のオーバーフロー管を有するインバータ圧縮機と、適正油面高さに第２のオーバーフロー管を有する一定速圧縮機と、冷房運転と暖房運転を切換える四方弁と、室外側熱交換器と、室外送風機と、電動式膨張弁と、気液分離器と、室外機制御装置とを備えた室外機と、室内側熱交換器と、室内送風機と、電動式膨張弁と、室内機制御装置とを備えた複数の室内機とで形成される空気調和装置において、前記第１のオーバーフロー管から第１の電磁弁及び第１のキャピラリーチューブを介し、前記一定速圧縮機の吸入管に接続するインバータ圧縮機側オーバーフロー回路と、前記第２のオーバーフロー管から第２の電磁弁及び第２のキャピラリーチューブを介し前記インバータ圧縮機の吸入管に接続する一定速圧縮機側オーバーフロー回路を有し、累積運転時間により定期的に前記第１、第２の電磁弁を開閉するもので、多くの電磁弁及び温度センサーを使用する事なく安価なオーバーフロー回路を構成し、適正油面を下回った場合にでも、他系統の圧縮機からオイルを供給することで適正油面を維持し、圧縮機の信頼性を向上させることができる。
【０００９】
以下、本発明の実施の形態について、図面を参照しながら説明する。なお、本実施の形態によって本発明が限定されるものではない。
【００１０】
（実施の形態１）
図１は、本発明の第１の実施の形態における空気調和装置の冷凍サイクル図である。
【００１１】
同図において、本実施の形態における空気調和装置は、室外機２１と、複数の室内機２６とで構成され、室外機２１は、適正油面高さに第１のオーバーフロー管２７を有するインバータ圧縮機１と、適正油面高さに第２のオーバーフロー管２８を有する一定速圧縮機２と、インバータ系統側の油分離器３と、油分離器３からキャピラリーチューブ４を介しインバータ系統側の吸入管２９へ接続されたオイル戻し回路５と、一定速系統側の油分離器６と、油分離器６からキャピラリーチューブ７を介し一定速系統側の吸入管３０へ接続されたオイル戻し回路８と、冷房運転と暖房運転を切換える四方弁９と、室外側熱交換器１０と、室外送風機１１と、電動式膨張弁１２と、気液分離器１３と、室外機制御装置２０とを備えている。
【００１２】
また、各室内機２６は、室内側熱交換器２２と、室内送風機２３と、電動式膨張弁２４と、室内機制御装置２５とを備えている。
【００１３】
また、インバータ圧縮機側オーバーフロー回路１６は、インバータ圧縮機１に取り付けた第１のオーバーフロー管２７から第１の電磁弁１４と第１のキャピラリーチューブ１５を介し、一定速系統側の吸入管３０へ接続した回路構成であり、一定速圧縮機側オーバーフロー回路１９は、一定速圧縮機２に取り付けた第２のオーバーフロー管２８から第２の電磁弁１７と第２のキャピラリーチューブ１８を介し、インバータ系統側の吸入管２９へ接続した回路構成である。
【００１４】
インバータ圧縮機１からガス冷媒とともに吐出されたオイルは、油分離器３で冷媒と分離され、オイル戻し回路５を通りインバータ系統側の吸入管２９へ戻される。
【００１５】
また、一定速圧縮機２からガス冷媒とともに吐出されたオイルは、油分離器６で冷媒と分離され、オイル戻し回路８を通り一定速系統側の吸入管３０へ戻される。
【００１６】
これにより、通常運転時は、圧縮機内潤滑油量が適性油面を下回ることは無いが、極端にオイル吐出量が多くなる条件下では、油分離器で分離できずに冷媒とともに冷凍サイクル中に出て行くケースが考えられる。冷凍サイクル中に出て行ったオイルは、運転している圧縮機にしか戻ってこないので、圧縮機内潤滑油量にアンバランスが生じる場合がある。
【００１７】
インバータ圧縮機１と一定速圧縮機２との組み合わせに於ける、２台の圧縮機内潤滑油量のアンバランスを考えると、インバータ圧縮機１が適性油面を下回っている場合と、一定速圧縮機２が適性油面を下回っている場合の２通り存在する。
【００１８】
いずれの場合に於いても、インバータ圧縮機１と一定速圧縮機２の２台を同時運転し、第１の電磁弁１４及び第２の電磁弁１７を開動作することにより、２台の圧縮機内潤滑油量のアンバランスは解消する。ここで、同時運転の際のインバータ圧縮機１の運転周波数は、一定速圧縮機２と同循環量になる既定の周波数である。
【００１９】
一方、アンバランスの無い状態で、インバータ圧縮機１と一定速圧縮機２の２台を同時運転し、第１の電磁弁１４及び第２の電磁弁１７を開動作した場合でも、アンバランスを招くことも無い。
【００２０】
従って、累積運転時間により、定期的に第１の電磁弁１４及び第２の電磁弁１７を開動作し、インバータ圧縮機１と一定速圧縮機２の２台を一定時間同時運転することにより、インバータ圧縮機１、一定速圧縮機２のいずれに於いても適正油面を維持し、インバータ圧縮機１、一定速圧縮機２の信頼性を向上させることができる。
【産業上の利用可能性】
【００２１】
以上のように本発明に係る空気調和装置は、１系統の多室型空気調和装置に限定されるものではなく、複数の系統の室外機を接続した室外マルチタイプの空気調和装置にも適用できる。
【図面の簡単な説明】
【００２２】
【図１】本発明の実施の形態１における空気調和装置の冷凍サイクル図
【図２】従来の空気調和装置の冷凍サイクル図
【符号の説明】
【００２３】
１  インバータ圧縮機
２  一定速圧縮機
３、６  油分離器
４  キャピラリーチューブ
５  オイル戻し回路
７  キャピラリーチューブ
８  オイル戻し回路
９  四方弁
１０  室外側熱交換器
１１  室外送風機
１２  電動式膨張弁
１３  気液分離器
１４  第１の電磁弁
１５  第１のキャピラリーチューブ
１６  インバータ圧縮機側オーバーフロー回路
１７  第２の電磁弁
１８  第２のキャピラリーチューブ
１９  一定速圧縮機側オーバーフロー回路
２０  室外機制御装置
２１  室外機
２２  室内側熱交換器
２３  室内送風機
２４  電動式膨張弁
２５  室内機制御装置
２６  室内機
２７  第１のオーバーフロー管
２８  第２のオーバーフロー管
２９、３０  吸入管
【図１】
2009144957.tif 000003
【図２】
2009144957.tif 000004